(57)【特許請求の範囲】
【請求項１】
地中に打ち込まれる杭を案内する案内通路を有する案内筒部を備え、
該案内筒部は、夫々中心軸線の角度が異なる複数の前記案内通路を備え、
該各案内通路の一部が互いに重なり合うことを特徴とする地中打ち込み杭の案内筒部構造。
【請求項２】
請求項１記載の案内筒部構造において、
前記複数の案内通路は、一方の開口端で、又は該一方の開口端の近傍で、前記案内通路の中心軸線が交差するように設けられることを特徴とする地中打ち込み杭の案内筒部構造。
【請求項３】
請求項２記載の案内筒部構造において、
前記複数の案内通路は、前記杭を挿入する側の開口端で、中心軸線が交差することを特徴とする地中打ち込み杭の案内筒部構造。
【請求項４】
請求項１から請求項３の何れか１項に記載の案内筒部構造において、
前記案内筒部には、前記複数の案内通路の中心軸線が交差する交差部分に位置させて、１つのネジ孔が設けられ、
前記複数の案内通路のうち何れの案内通路に前記杭が挿入されても、該ネジ孔にボルトを螺着して、前記ボルトで前記杭を前記案内筒部に固定することができるように該ネジ孔が構成されることを特徴とする地中打ち込み杭の案内筒部構造。
【発明の詳細な説明】
【技術分野】
【０００１】
本発明は、公園、緑地等に、柵、橋、ベンチ、遊具等の建造物や樹木を支えるアンカー等の被支持体を支持する為に地中に打ち込まれる杭を案内する案内通路を備えた案内筒部の構造に関する。
【背景技術】
【０００２】
近年、里山、河川敷、湿原等にその自然環境を保護すると共に、自然環境を生かして公園や緑地等として利用するために、柵、橋、ベンチ、遊具等の建造物を構築することが行われている。建造物を構築する際には、地盤に建造物を支持するための基礎が設けられる。従来の基礎は、地盤に掘削された穴に捨てコンクリートを打ち、この捨てコンクリート上に組まれた枠体内に生コンクリートを充填することにより形成される。
【０００３】
ところが、上記の基礎では、地盤の掘削、生コンクリートの搬入等のために大型の車両を、里山、河川敷、湿原等に進入させる必要があり、植生、土壌等が損われ、自然環境を保護するための公園、緑地化が、自然環境の破壊を招くという本末転倒の結果になる問題がある。また、従来の基礎は、不要になった場合に撤去して里山、河川敷、湿原等を原状回復することが難しかった。
【０００４】
そこで、コンクリートを用いることなく、施工現場で容易に組み立てられる簡易基礎が知られている（例えば、特許文献１参照）。この簡易基礎は、地中に埋設され被支持体を支持するものであって、地中に打ち込まれる１本の杭と、角Ｃ字状の基礎本体とで構成され、基礎本体は、矩形状の上板部と、上板部の下方に位置する矩形状の底板部と、上板部の後縁と底板部の後縁とを連結する後板部と、上板部に上縁が固定されると共に、底板部に下縁が固定され、杭を傾斜させた状態で地中に打ち込まれるように案内する１つの案内通路を有する案内筒部とで構成される。
【先行技術文献】
【特許文献】
【０００５】
【特許文献１】特許第３９１６０８３号公報
【発明の概要】
【発明が解決しようとする課題】
【０００６】
ところで、杭を地中に打ち込むときに、杭の先端が地中に埋もれた岩等に当たり、杭を地中深く打ち込めない場合がある。この場合、簡易基礎を組み直したり、角度の異なる案内筒部を備える簡易基礎と取り換えたりするなどして、杭が岩等を回避して打ち込めるようにする必要があり、作業が面倒である。
【０００７】
本発明は、以上の点に鑑み、杭を容易に打ち込むことができる案内筒部構造を提供することを目的とする。
【課題を解決するための手段】
【０００８】
［１］上記目的を達成するため、本発明の地中打ち込み杭の案内筒部構造は、地中に打ち込まれる杭を案内する案内通路を有する案内筒部を備え、該案内筒部は、夫々中心軸線の角度が異なる複数の前記案内通路を備え、該各案内通路の一部が互いに重なり合うことを特徴とする。
【０００９】
本発明によれば、案内筒部が複数の案内通路を備えるため、１つの案内通路に沿って杭を打ち込んだ際に、杭が地中に埋もれた岩等に接触して打ち込めない場合には、角度の異なる他の案内通路に杭を挿入して地中に打ち込むことができる。このため、案内筒部を備える部材の組み直し等を行うことなく、杭を地中深く打ち込める可能性が高まり、杭の打ち込み作業の効率を向上させることができる。
【００１０】
又、案内筒部に設けられた互いに角度の異なる複数の案内通路を、互いに重なり合わせることなく夫々独立させて設けることも考えられる。しかしながら、この場合、案内筒部が大型化し、これに伴い案内筒部を備える部材を設置する作業の効率が低下する虞がある。
【００１１】
そこで、本発明では、各案内通路の一部が互いに重なり合うように構成している。これにより、重なり合う分だけ案内筒部の小型化を図ることができ、案内通路の増加に伴う案内筒部の大型化を抑制し、作業効率の低下を抑えることができる。
【００１２】
［２］ところで、案内筒部の複数の案内通路を重なり合わせる場合、案内通路の中心軸線が交差するように各案内通路を設けることが重なり合う部分を増大させる上で最も効果的である。ここで、各案内通路の中心軸線が交差する交差点を案内筒部の杭を挿入する挿入口と杭が突出する突出口との間の中央部分に配置すると、隣接する案内通路同士のなす角が小さい場合、隣接する案内通路同士を隔てる中間壁の面積が十分に取れず、杭を案内通路で適切に案内できなくなる虞がある。これを回避すべく、案内筒部の挿入口と突出口との間の距離を長くして中間壁の面積が十分取れるように設計することも考えられる。しかしながら、挿入口と突出口の間の距離を長く設定すると、案内筒部の大型化を招いてしまう。
【００１３】
この場合、複数の案内通路を、挿入口と突出口の何れか一方の開口端で、又はこの一方の開口端の近傍部分で、案内通路の中心軸線が交差するように設ければ、交差点を案内筒部の中央部分に配置した場合に比し、挿入口と突出口との間の距離を延ばすことなく、中間壁の面積を十分に確保することができる。
【００１４】
［３］案内通路の中心軸線が交差する交差点を一方の開口端に設定する場合に、杭が突出する側の開口端である突出口に交差点を設けることも考えられる。しかしながら、杭を挿入するための挿入口が案内通路の数だけ開口することとなる。そして、杭が挿入されていない開口状態の挿入口が地表に露出していると、この挿入口から案内通路内にゴミが溜まり、美観を損ねる虞がある。美観を保つべく、開口状態の挿入口にキャップを被せることも考えられるが、挿入口にキャップを被せる手間が掛かり面倒である。
【００１５】
この場合、交差点を杭が挿入される側の開口端である挿入口に設ければ、複数の案内通路の挿入口が１つにまとめられ、杭を案内通路に挿入することで、杭により各案内通路の挿入口が閉塞されることとなる。これにより、開口状態の挿入口が発生せず、キャップを被せる作業を行うことなく美観を保つことができ、便利である。
【００１６】
［４］ところで、杭を案内筒部に挿入して地中に打ち込んだ後、杭が案内筒部から脱落しないように、杭を案内筒部に固定する場合がある。この固定方法の１つとして、案内筒部にネジ孔を設け、このネジ孔にボルトを螺着し、ボルトで杭を案内筒部に押し付けて固定する方法がある。この固定方法を用いる場合、各案内通路に対応させて複数のネジ孔を案内筒部に設けることが考えられる。
【００１７】
しかしながら、杭を挿入する案内通路を変更する度にボルトを螺着させるネジ孔も対応させて変更する必要があり、面倒である。又、複数のネジ孔が案内筒部に設けられているため、施工者が誤って杭が挿入されていない案内通路に対応するネジ孔にボルトを螺着させてしまう虞もある。
【００１８】
この場合、案内筒部に、複数の案内通路の中心軸線が交差する交差部分に位置させて、１つのネジ孔を設け、複数の案内通路のうち何れの案内通路に杭が挿入されても、このネジ孔にボルトを螺着してボルトで杭を案内筒部に固定できるように、ネジ孔を構成すればよい。
【００１９】
これによれば、交差部分にネジ孔を設けているため、１つのネジ孔で全ての案内通路に対応させることができ、杭を挿入する案内通路を変更する場合であっても、ボルトを螺着させるネジ孔を変更することなくボルトで杭を案内筒部に固定することができ、作業が容易となる。又、ネジ孔が１つしかないため、施工者が誤って杭が挿入されていない案内通路に対応するネジ孔にボルトを螺着するという事態の発生を防止できる。
【図面の簡単な説明】
【００２０】
【図１】本発明の第１実施形態の案内筒部構造を示す説明図。
【図２】（ａ）は第１実施形態の杭支持具の正面図。（ｂ）は第１実施形態の杭支持具の左側面図。（ｃ）は第１実施形態の杭支持具の右側面図。（ｄ）は第１実施形態の杭支持具の平面図。（ｅ）は第１実施形態の杭支持具の底面図。（ｆ）は第１実施形態の杭支持具の背面図。（ｇ）は第１実施形態の杭支持具を（ｂ）及び（ｄ）のｇ−ｇ線で切断した状態で示す断面図。（ｈ）は第１実施形態の杭支持具を（ａ）のｈ−ｈ線で切断した状態で示す断面図。
【図３】（ａ）は本発明の第２実施形態の案内筒部構造を適用した簡易基礎の正面図。（ｂ）は第２実施形態の簡易基礎の右側面図。（ｃ）は第２実施形態の簡易基礎の平面図。（ｄ）は第２実施形態の簡易基礎を（ｂ）のｄ−ｄ線で切断した状態で示す断面図。
【図４】第２実施形態の簡易基礎を４つ連結した状態の一例を示す説明図。
【発明を実施するための形態】
【００２１】
［第１実施形態］
図１及び図２を参照して、本発明の第１実施形態の案内筒部構造を説明する。第１実施形態の案内筒部構造は、柵、橋、遊具、木道、照明器具、東屋等の小型屋外建造物の支柱２（被支持体）に取り付けられる杭保持具１に適用されたものである。図１に示すように、杭保持具１は、支柱２にボルト３１とナット３２で固定されている。杭保持具１は、２つの案内通路４１，４２を有する案内筒部４と、案内筒部４の外周面に設けられた断面Ｌ字状の一対の固定片５１，５２とを備える。
【００２２】
案内通路４１，４２は、１本の杭６を地中に打ち込む際に、杭６を地中に所定の角度で傾斜させて打ち込めるように案内する役割を果たす。案内通路４１，４２は、互いに異なる角度で傾斜し、交差して、その一部が重なり合っている。この案内通路４１，４２の中心軸線Ｌ１，Ｌ２が交差する交差点Ｐは、案内筒部４の杭が挿入される側の開口端である挿入口４ａに位置している。このように交差点Ｐを挿入口４ａに設けることにより、２つの案内通路４１，４２の挿入口を１つにまとめることができる。
【００２３】
これにより、杭６が挿入されていない案内通路４１，４２にゴミが詰まることがなく、案内筒部４の美観を保つことができる。又、交差点Ｐを案内筒部４の挿入口４ａと突出口４ｂの間の中央部分に設けた場合に比し、２つの案内通路４１，４２のなす角θが比較的小さい場合であっても、各案内通路４１，４２を隔てる中間壁４３の面積を十分に確保することができ、案内筒部４の小型化を図ることができる。
【００２４】
尚、交差点Ｐを挿入口４ａの近傍部分に設けてもよい。これによっても、交差点Ｐを挿入口４ａと突出口４ｂの間の中央部分に設けた場合に比し、中間壁４３の面積を十分に確保することができ、案内筒部４の小型化を図ることができる。
【００２５】
案内筒部４には、挿入口４ａ側に位置させて、ネジ孔４ｃが設けられている。このネジ孔４ｃは、ボルト６ａを螺着させて、２つの案内通路４１，４２のうち何れの案内通路４１，４２に杭６が挿入されても、螺着されたボルト６ａの先端で杭６を案内筒部４に押し付けて固定できる個所に設定されている。
【００２６】
このようにネジ孔４ｃを構成することにより、ネジ孔４ｃが１つで済むため、案内通路４１，４２毎にネジ孔４ｃを案内筒部４に複数設けた場合に比し、杭６を挿入する案内通路４１，４２を変更する度に、ボルト６ａを螺着させるネジ孔を変更する必要がなく、作業効率が向上される。また、何れの案内通路４１，４２に杭６を挿入してもボルト６ａを同じネジ孔４ｃに螺着させればよいため、ボルト６ａを螺着させるネジ孔４ｃを間違えることを防止できる。
【００２７】
杭保持具１が取り付けられる支柱２は、四角柱型であり、軸方向に平行な垂直片２１と、軸方向に直交する水平片２２とを４つの側面に夫々備える。垂直片２１及び水平片２２には、２つの貫通孔２１ａ，２２ａが夫々設けられている。尚、図１においては、支柱２の４つの側面のうち１つの側面のみを示しており、他の３つの側面に設けられた垂直片２１、水平片２２、及びこれらの片２１，２２に取り付けられる杭保持具１は省略している。
【００２８】
杭保持具１の固定片５１，５２には、垂直片２１と水平片２２の貫通孔２１ａ，２２ａに対応させて、２つの貫通孔５１ａ，５２ａが夫々設けられている。
【００２９】
図１に示すように、支柱２の垂直片２１に杭保持具１の固定片５１を、水平片２２に固定片５２を重ね合わせ、貫通孔２１ａ，２２ａ，５１ａ，５２ａにボルト３１を夫々挿入しナット３２で締め付けることにより、杭保持具１が支柱２に取り付けられる。尚、四角柱型の支柱２に取り付ける杭保持具１の数は、４つに限らず、被支持体の構造（例えば、支柱の数や重心の位置など）を考慮して、被支持体を支えるために必要十分な数に適宜変更可能である。
【００３０】
第１実施形態の杭保持具１によれば、案内筒部４に夫々傾斜角度の異なる２つの案内通路４１，４２が設けられているため、２つの案内通路４１，４２のうちの何れか一方に杭６を挿入して地中に打ち込んだ際に、杭６が地中で岩等と接触し地中深く打ち込めない場合であっても、杭保持具１を支柱２から取り外すことなく、２つの案内通路４１，４２のうちの他方に杭６を挿入して地中に打ち込むことができる。これにより、杭６を岩等との接触を回避させて打ち込むことができる可能性が高まり、案内通路を１つしか備えず岩等と接触する度に杭保持具１を交換する場合に比し、作業効率を高めることができる。
【００３１】
又、案内通路４１，４２はその一部が重なり合うように構成されているため、２つの案内通路４１，４２を備えるにも拘らず、案内筒部４をコンパクトに構成することができる。
【００３２】
尚、第１実施形態においては、２つの案内通路４１，４２を備えた案内筒部４の構造を説明したが、本発明の案内筒部の案内通路の数は２つに限らず、３つ以上で構成しても同様に本発明の作用効果を得ることができる。
【００３３】
又、第１実施形態においては、挿入口４ａに交差点Ｐを設けた案内筒部４の構造を説明した。しかしながら、本発明の案内筒部４は、突出口４ｂに、又は突出口４ｂの近傍部分に、交差点Ｐを設けてもよい。これによっても、案内筒部４の小型化を図り、作業効率を向上できると共に、十分な中間壁の面積を確保できるという本願発明の作用効果を得ることができる。尚、この場合に、複数の挿入口４ａが形成されることとなるが、杭６が挿入されていない挿入口４ａにキャップを取り付ければ美観を保つことができる。又、この場合には、交差点Ｐの位置にネジ孔４ｃを配置してもよい。
【００３４】
又、交差点Ｐは、案内筒部４の挿入口４ａと突出口４ｂの間の中央部分に配置してもよい。これによっても、案内筒部４の小型化を図り、作業効率を向上できるという本願発明の作用効果を得ることができる。この場合、中間壁４３が杭６を案内するために適切な面積を得られるように挿入口４ａと突出口４ｂとの間の距離を設定すればよい。又、この場合にも、交差点Ｐ上にネジ孔４ｃを配置してもよい。
【００３５】
又、第１実施形態の杭保持具１には、断面Ｌ字状の一対の固定片５１，５２を設けたが、固定片は、被支持体への取り付け個所に合わせて適宜形状を変更可能であり、又、ボルト３１とナット３２を用いることなく被支持体に溶接で固定してもよい。
【００３６】
又、第１実施形態の杭保持具１では、１つのネジ孔４ｃを備えるものを説明した。しかしながら、ネジ孔４ｃは案内通路４１，４２毎に複数設けてもよい。これによっても、案内筒部４の小型化を図り、作業効率を向上できるという本発明の作用効果を得ることができる。
【００３７】
［第２実施形態］
次に、図３及び図４を参照して、本発明の第２実施形態の案内筒部構造について、簡易基礎７を用いて説明する。尚、第１実施形態と同一の構成については同一の符号を付して説明を省略する。簡易基礎７は、里山、河川敷、湿原等に、公園、緑地等の施設（被支持体）を構築し、或いは樹木を支えるアンカー（被支持体）を固定する際に用いられるものである。公園、緑地等の施設としては、例えば、柵、橋、ベンチ、遊具、木道、照明器具、東屋等の小型屋外建造物が挙げられる。
【００３８】
簡易基礎７は、基礎本体８と、杭６が挿通される案内通路４１，４２を備える案内筒部４とで構成される。基礎本体８は、上下方向に長手の側板部８１と、この側板部８１の一方の側縁から垂直に折れ曲がって延びる後板部８２と、側板部８１及び後板部８２の上縁に水平に連結された上板部８３とを備える。側板部８１及び後板部８２には、２つの貫通孔８１ａ，８２ａが夫々設けられている。上板部８３には、１つの貫通孔８３ａが穿設されている。
【００３９】
側板部８１及び後板部８２の下端には、案内筒部４が傾斜した状態で連結されている。第２実施形態の案内筒部４は、第１実施形態の案内筒部４の挿入口４ａと突出口４ｂを反転させたものであり、これ以外は第１実施形態と同一に構成される。即ち、第２実施形態の簡易基礎７では、挿入口４ａが２つ形成される。このため、杭６が挿入されず開口状態となる挿入口４ａが存在することとなるが、この挿入口４ａは、図示省略したキャップを取り付けて閉塞させることにより、杭６が挿入されていない案内通路にゴミが詰まり、簡易基礎７の美観が損なわれることを防止できる。
【００４０】
次に、第２実施形態の簡易基礎７の使用例を説明する。第２実施形態の簡易基礎７は、複数個連結して用いることができる。図４には、４つの簡易基礎７を組み合わせて使用する例を示す。図４に示すように、４つの簡易基礎７を、隣接する側板部８１と後板部８２とを重ね合わせて、図示省略したボルトとナットとで連結している。
【００４１】
そして、この４つの簡易基礎７を連結した連結体の４つの上板部８３の上に、ベンチ等の被支持体の脚部等を載置し、各簡易基礎７の上板部８３に設けられた貫通孔８３ａを用いてボルトとナット等により、被支持体を簡易基礎７上に固定する。
【００４２】
第２実施形態の簡易基礎７によれば、第１実施形態と同様に、案内筒部４をコンパクトに構成することができ、作業効率を高めることができる。尚、第２実施形態においても、第１実施形態のように、挿入口４ａに交差点Ｐを設けてもよい。この場合には、キャップを取り付ける必要がなくなり、作業効率の更なる向上、及び部品点数の削減を図ることができる。
【００４３】
又、交差点Ｐは、案内筒部４の挿入口４ａと突出口４ｂの間の中央部分に配置してもよい。これによっても、案内筒部４の小型化を図り、作業効率を向上できるという本願発明の作用効果を得ることができる。この場合、中間壁４３が杭６を案内するために適切な面積を得られるように挿入口４ａと突出口４ｂとの間の距離を設定すればよい。又、この場合、交差点Ｐ上にネジ孔４ｃを配置してもよい。
【００４４】
又、ネジ孔４ｃは案内通路４１，４２毎に複数設けてもよく、このように構成しても、案内筒部４の小型化を図り、作業効率を向上できるという本発明の作用効果を得ることができる。
【符号の説明】
【００４５】
４…案内筒部、４ａ…挿入口（開口端）、４ｂ…突出口（開口端）、４ｃ…ネジ孔、４１，４２…案内通路、６…地中打ち込み杭、Ｐ…交差点、Ｌ１，Ｌ２…中心軸線。
【図１】
0005138003.tif 000002
【図２】
0005138003.tif 000003
【図３】
0005138003.tif 000004
【図４】
0005138003.tif 000005